(57)【特許請求の範囲】
【請求項１】
移動スイッチングセンター、少なくとも１つの移動局、および少なくとも１つの基地局を具備するワイヤレス通信システム中でエアーおよびネットワークメッセージングを含むメッセージングトラフィックを減少させる方法において、
移動局がワイヤレス通信システムに加入しているか否かを示す移動局の加入者ステータスを前記移動体スイッチングセンターから少なくとも１つの移動局に提供し、
前記移動局の加入者ステータスをメモリデバイスに記憶し、
前記移動局がインアクティブであることを前記移動局の加入者ステータスが示す場合に前記移動局が前記通信システムに登録するのを防ぐステップを含む方法。
【請求項２】
前記移動局がインアクティブであることを前記移動局の加入者ステータスが示した場合でさえ、前記少なくとも１つの移動局が前記移動スイッチングセンターとそれにもかかわらず通信することを許容するステップをさらに含む請求項１記載の方法。
【請求項３】
前記移動局の加入者ステータスを前記メモリデバイスに記憶するときに、肯定応答メッセージを前記移動局から前記移動スイッチングセンターに送信し、
予め定められた時間内に前記肯定応答メッセージが前記移動スイッチングセンターにより受信されなかった場合に、前記移動局の加入者ステータスを前記移動スイッチングセンターにより再送信するステップをさらに含む請求項１記載の方法。
【請求項４】
前記移動局の加入者ステータスを再送信するステップは予め定められた回数の間繰り返される請求項３記載の方法。
【請求項５】
前記少なくとも１つの移動局が前記移動スイッチングセンターとそれにもかかわらず通信することを許容するステップは、緊急通話を行う能力を含む請求項２記載の方法。
【請求項６】
前記少なくとも１つの移動局が前記移動スイッチングセンターとそれにもかかわらず通信することを許容するステップは、放送によるプログラミングを前記少なくとも１つの移動局に提供する能力を含む請求項２記載の方法。
【請求項７】
移動スイッチングセンター、少なくとも１つの移動局、および少なくとも１つの基地局を備えるワイヤレス通信システム中でのエアーおよびネットワークメッセージングを含むメッセージングトラフィックを減少させる装置において、
前記移動体スイッチングセンターから受信した、移動局がワイヤレス通信システムに加入しているか否かを示す移動局の加入者ステータスを記憶するメモリデバイスと、
前記メモリデバイスに接続され、前記移動局の加入者ステータスを前記メモリデバイス中に記憶させる第１のプロセッサとを具備し、
前記移動局の加入者ステータスがインアクティブである場合に前記移動局が前記通信システムに登録するのを防ぐ装置。
【請求項８】
前記移動局の加入者ステータスが変更された場合に、前記第１のプロセッサは肯定応答メッセージを前記移動スイッチングセンターに送る請求項７記載の装置。
【請求項９】
第２のプロセッサに接続され、移動局の加入者ステータスが送信された時間を提供するタイマーをさらに具備し、前記移動局の加入者ステータスが最後に送信されたときから予め定められた時間内に前記肯定応答メッセージが受信されなかった場合に、前記第２のプロセッサは前記移動局の加入者ステータスを再送信する請求項８記載の装置。
【請求項１０】
前記メモリデバイスは不揮発性メモリである請求項７記載の装置。
【請求項１１】
前記メモリデバイス中の前記移動局の加入者ステータスを変更するＩ／Ｏデバイスをさらに具備する請求項７記載の装置。
【請求項１２】
前記Ｉ／Ｏデバイスはキーパッドおよびディスプレイを備えている請求項１１記載の装置。
【発明の詳細な説明】
【０００１】
【発明の属する技術分野】
この発明は一般的にワイヤレス通信システムに関し、特に非加入移動電話機における登録プロセスをディセーブルにすることによりメッセージングトラフィックを減少させる方法および装置に関する。
【０００２】
【従来の技術】
セルラ通信システムでは、登録は、ターンオンされているか否かおよびどの基地局を通して通信しているかをセルラ通信システムに知らせるために移動局が使用するプロセスである。移動局は、一般的にビークル搭載ユニットまたはハンドキャリーポータブルユニットの形態であるセルラ無線電話機またはパーソナル通信デバイスのものであってもよい。
【０００３】
移動終端通話と呼ばれることが多い移動局に向けられる通話に対して、通信システムは移動局が電源投入されているか否かおよび移動局がどの基地局を受信しているかを決定する必要がある。移動局を見つけるために、セルラシステムはページと呼ばれることが多いメッセージを多くの基地局から放送する。移動局が応答した場合、セルラシステムは通話を取り扱い続け、移動局が位置しているカバーレッジ領域の基地局に向けてさらに通信を向ける。ページングプロセスは移動局となされるべき他の何らかのトランザクションに対して移動局を位置付けるために使用されることもさらに理解すべきである。基地局およびそのカバーレッジ領域は通常セルとして呼ばれる。
【０００４】
システムが移動局の位置に関する知識を持っていなければ、システムは各基地局の各セクタにおいてページを放送しなければならない。移動終端トラフィック量が増加するにしたがって、システムワイドのページングをサポートする通信リソースはほとんどの大都市領域ですぐに膨大なものになる。
【０００５】
移動局に向けられる通信に対して、セルラシステムは登録情報を使用して、移動局との通信リンクを位置付け、活動化し、あるいは確立するのに必要なページング量を減少させる。登録情報はページ信号を放送する１組の基地局を決定するのにも使用される。
【０００６】
技術的によく知られている登録方法には、特に、電源投入時における登録、それぞれ新しい基地局カバーレッジ領域に入る際の登録が含まれる。最新移動電話サービス（ＡＭＰＳ）や移動通信用グローバルシステム（ＧＳＭ）バラエティのもののようないくつかの通信システムは周期的方法あるいはカウンタ方法を使用して移動局の位置を決定する。これらの方法は理想からほど遠いが、それにもかかわらず通信システム中で要求されるページング量をかなり減少させることができる。登録プロシージャは、ＡＭＰＳ、ＴＤＭＡおよびＣＤＭＡを含むさまざまな変調方式の間で類似している。ＣＤＭＡ登録技術は通信工業協会ＩＳ−９５およびＩＳ−９５Ａで詳細に説明されており、ここでは単にＩＳ−９５として言及する。
【０００７】
移動局はいくつかの異なる状態の１つで動作する。例えば、ＩＳ−９５は初期化状態、アイドル状態、システムアクセス状態、およびトラフィックチャネル状態を記述している。アイドル状態で動作している移動局は一般的に基地局にその所在を知らせるために規則的な間隔で登録することが要求される。しかしながら、すべての移動局からのすべての登録が必要なわけではない。特に、現在通信システムに加入していない移動局からの登録は必要とされない。これらの移動局はシステムで動作することがまだ許可されていないが、現在の登録プロトコルの下では、加入している移動局と同じ方法で登録することが要求される。製造され、今日市場に置かれる移動局の数がさらに増加すると、システム中に存在するが、積極的に加入していない移動局の数はさらに優勢になっていく。したがって、このようなインアクティブな移動局からの必要のない登録数は許容できない量の不必要な登録トラフィックを生みだし、システムリソースおよびネットワーク帯域幅に悪影響を及ぼす。
【０００８】
現在、移動局は自己の加入がアクティブであるのかそうでないのかを検出することができない。セルラ標準規格において今日規定されているような登録プロセスは、通信システムの運営者がインアクティブあるいは非加入移動局の登録を選択的にディセーブルにすることを可能にする能力を提供していない。
【０００９】
この問題に対する１つの解法は、通信システムに対する移動局の加入が活動化されるまで、単に移動局を完全にディセーブルにすることである。このアプローチにはいくつかの欠点がある。それらの中の主要なものは、放送による（ＯＴＡ）プログラミングを移動局が利用できないことであり、この放送によるプログラミングは移動局をプログラムするのに普及した方法になりつつあるものである。さらに、移動局が完全にディセーブルにされた場合には他の通信は可能ではない。例えば、緊急通話を完了することができない。システムに対する移動局の加入がインアクティブである場合でさえ、サービスプロバイダは理想的には移動局の操作者がこの種の通話をできることを好む。さらに、将来の規則および標準規格はこの特徴を要求しそうである。
【００１０】
必要とされるものは、依然として他の通信が生じることを許容しながら、サービスに対していまだ活動化されていないか、中断しているサービスを持つ移動局の登録プロセスを選択的にターンオフさせる方法および装置である。
【００１１】
本発明は通信システムに対して積極的に加入してない移動局の登録プロセスをディセーブルにする方法および装置である。これは通信システム間のメッセージトラフィックとともに、エアーインターフェースを通してのメッセージトラフィックを大きく減少させる。これは次により高い容量および通信システム中の移動局間干渉の減少を可能にする。
【００１２】
本発明は通信システム中の各移動局にその加入者ステータスの知識を提供する。移動局の加入者ステータスは移動局内のメモリデバイス中に記憶される。移動局の加入者ステータスが“インアクティブ”の場合には、移動局による通常実行されるエアーインターフェース登録プロシージャは非活動化される。移動局、１つ以上の基地局およびシステム制御装置間の他のすべての通信はイネーブルにされたままである。
【００１３】
いまだかつて活動化されていない新しい移動局は“インアクティブ”にセットされた加入者ステータスで工場から初期化され、これにより不必要な登録が防がれる。サービス活動化の際、メモリデバイスの手動サービスプログラミングを通して、あるいは放送による（ＯＴＡ）サービスプログラミングにより、移動局の加入者ステータスは通常動作のために“アクティブ”に切り換えられる。後に特定の移動局に対するサービスを終了させたい場合には、加入者ステータスはＭＳＣを通して通信システム管理により“インアクティブ”に変更され、非活動化されるべき移動局に送信される。非活動化コマンドは移動局の加入者ステータスを“インアクティブ”に変更し、加入者ステータスが“アクティブ”に変更して戻されるまで、さらに登録されることを防ぐ。
【００１４】
本発明の特徴、目的および効果は同一の参照文字が全体を通して対応している図面とともに、以下に説明されている詳細な説明からさらに明らかになるであろう。
【００１５】
【発明の実施の形態】
セルラ、ＰＣＳあるいは衛星通信システムのような大抵のワイヤレス通信システムでは、システム内の移動局の位置およびステータスを追跡するために何らかの方法が必要とされる。この知識がなければ、特定の移動局に情報を向けて送るために、特定の移動局に対してのみ向けられたページを、何らかの予め定められたユニバーサルフォーマットで全システムカバーレッジ中に放送して、特定の移動局が確実にコンタクトされることが必要となる。登録を使用して、移動局はシステム制御装置すなわち移動スイッチングセンター（ＭＳＣ）にそのステータスと位置を通知する。ＭＳＣは位置情報を一般的にビジター位置登録装置（ＶＬＲ）と呼ばれるデータベースに記憶し、特定の移動局に向けられたメッセージを受信したときにＶＬＲを参照して、どの基地局を使用してそのメッセージを特定の移動局に中継すべきかを決定する。
【００１６】
図１を参照すると、移動局１０が基地局３０を通して移動スイッチングセンター（ＭＳＣ）４０に登録するとき、移動局１０が通信システム中を移動するにしたがってＭＳＣ４０が移動局１０を追跡できるように１つ以上の識別パラメータが送信される。ＭＳＣ４０は、通信システム中の移動局のステータスに関する情報が記憶される何らかの通信センターを表し、図１の通信システムで示されている実施形態に制限されるものではない。このような通信センターは、請求書の発行や公衆電話交換ネットワーク（ＰＳＴＮ）へのインターフェースのような他の機能もその上付加的に実行してもよい。送信される識別パラメータには移動局シリアル番号、独特な電話番号や他の何らかの独特な識別子、移動局スロットサイクルインデックス、移動局分類番号、あるいはこれらまたは他のパラメータの組合せが含まれていてもよい。登録情報は移動局１０が位置しているカバーレッジ領域の基地局３０に位置する（示されていない）トランシーバで受信される。この登録情報は基地局３０によりＭＳＣ４０は４０に中継される。図１には示されていないが、典型的な通信システムでは多くの基地局が使用され、各基地局は一般的にＴ１または光ファイバケーブルのようなワイヤインターフェースを通してＭＳＣ４０と通信している。
【００１７】
登録中に送信される情報は他の移動局からの登録情報とともにＭＳＣ４０内に一般的に配置され、ビジター位置登録装置（ＶＬＲ）として知られているデータベースに記憶される。例えば、移動局２０は移動局１０とは異なる位置に存在する他の移動局であり、これに対しても情報がＶＬＲに記憶される。電源投入や基地局３０のサービス領域に入るような登録イベント時に、移動局１０と移動局２０はそれぞれ登録メッセージを基地局３０に送信し、この登録メッセージは基地局３０のカバーレッジ領域内でのアクティブな存在を示す。登録情報はＶＬＲに記憶され、ＶＬＲでは、特定の移動局と通信を望む場合に通信システム内で移動局を位置付けるために、この登録情報がＭＳＣ４０により使用される。
【００１８】
移動局が特定の基地局のカバーレッジ領域から離れるときには、その登録情報はＶＬＲ中で変更される。例えば移動局が移動して基地局３０のカバーレッジ領域から出て、他の基地局のカバーレッジ領域に入る場合には、移動局の登録情報が変更され、移動局はもはや基地局３０と通信していないことを表す。移動局が通信システム全体のカバーレッジ領域の外側に移動した場合には、その登録情報はそのシステムに関係するＶＬＲから完全に除去される。
【００１９】
通信システム中の各基地局のカバーレッジ領域は一般的に六角形形状により表される。しかしながら、実際のセルラ通信環境では、基地局カバーレッジ領域はサイズおよび形状が変化することを理解すべきである。基地局カバーレッジ領域はカバーレッジ領域境界とオーバーラップする傾向があり、理想的な六角形形状とは異なるカバーレッジ領域形状を規定することもさらに理解すべきである。さらに、技術的によく知られているように、基地局は例えば３つのセクタのようにセクタ分けしてもよい。図１のセルラシステムはアナログまたはデジタル通信システムであってもよく、符号分割多元接続（ＣＤＭＡ）、時分割多元接続（ＴＤＭＡ）、周波数分割変調（ＦＤＭ）のようないくつかのタイプの多元接続変調方式の内で１つ以上のものを使用する。
【００２０】
移動局が通信システム中の通話を送受信できるようになる前にサービスプロバイダに積極的に加入する必要がある。例えば、ワイヤレス電話機のような移動局が最初に小売店から購入されるとき、ワイヤレス電話機が電話をかけそして電話を受けることができるようになる前にワイヤレス電話機はサービスプロバイダにより活動化されなければならず、あるいはその加入が有効化されなければならない。これは通常２段階プロセスである。第１に、移動局は移動識別番号（ＭＩＮ）、電話番号、分類などのようなあるパラメータでプログラムされなければならず、これらはネットワーク管理センター６０から提供される。この情報はホーム位置登録装置（ＨＬＲ）５０にも提供される。ＨＬＲ５０はネットワーク管理センター６０により管理されている通信システムに加入しているすべての移動局についての情報を含むデータベースである。移動局には手動プログラミングによりあるいは放送によるプログラミングによりこの情報が提供される。
【００２１】
ＭＳＣ４０は多くの理由のためにＨＬＲ５０と直接通信する。これらの理由の１つは通信システム中の移動局が電話をかけるあるいは受ける許可がなされているか否かを決定すること、すなわち移動局の加入者ステータスがアクティブかあるいはインアクティブであるか否かを決定することである。移動局の加入者ステータスがインアクティブである場合には、特定の移動局への通話あるいは特定の移動局からの通話は一般的に許されない。
【００２２】
公衆ネットワーク７０はＭＳＣ４０およびＨＬＲ５０と通信する。公衆ネットワーク７０は公衆電話交換ネットワーク（ＰＳＴＮ）あるいはＳＳ７公衆ネットワークを表し、他の通信システム中の公衆ネットワークと接続されている。移動局が１つの通信システムから他の通信システムに移動するにしたがって、その位置が登録プロシージャを通してこれらの通信システム中に位置している基地局に送信される。その後移動局の位置は移動局の“ホーム”通信システムに送られ、すなわちサービスのために移動局が積極的に加入している通信システムに送られる。その後移動局の位置はその“ホーム”ＨＬＲ５０中に記憶される。他の通信システム中に位置する基地局への通話はＨＬＲ５０に記憶されている情報によって他の通信システムへルーティングすることができる。
【００２３】
移動局に対するサービスを中止するためには、メッセージがネットワーク管理センター６０において発生され、特定の移動局の加入者ステータスが“インアクティブ”に変更されるべきことを要求する。このメッセージはＨＬＲ５０に送られ、ここでは移動局の加入者ステータスが変更され、この移動局はもはやシステム内でアクティブな加入者でないことを示す。しかしながら現在の通信システムでは、移動局にステータスの変更を知らせるメッセージは移動局に中継されない。結果として、移動局におけるすべての機能は活動化されたままである。例えば、移動局は近くのパイロット信号を監視し、アイドルハンドオフを実行し、ＭＳＣ４０により送られるメッセージに肯定応答し続ける。移動局１０により実行されるこれらの機能および他の機能の詳細は、“セルラ通信システムに対するパイロット信号サーチ技術”と題する米国特許第５，５７７，０２２号において見い出すことができ、この米国特許は参照によりここに組み込まれている。移動局はまた国際標準規格すなわちＡＭＰＳ、ＧＳＭ、ＣＤＭＡなどにより確立されたプロトコルにしたがって登録プロシージャを実行し続ける。これらの登録は不必要である。その理由は通信システム中で電話をかけるあるいは受ける許可が移動局になされていないからである。
【００２４】
これらの不必要な登録は２つの方法で通信システムに悪影響を与える。不必要な登録はエアーインターフェースに影響を与え、ネットワークリソースを無駄にする。ＣＤＭＡシステムでは、移動局からの送信は他の移動局への干渉を生じさせ、より大きな電力で送信する必要性が生じ、したがってシステム容量を減少させることになる。エアーインターフェースに対する他の悪影響は、回路すなわち他の移動局が利用して通信する所定の基地局中の変調器、復調器およびモデムを少なくしてしまうことである。ネットワークリソースは不必要なメッセージトラフィックにより悪影響を受ける。その理由は異なる通信システム間で不必要な情報を送信する費用が増加するからである。例えば、移動局が１つの通信システムから他の通信システムにローミングするとき、移動局は各通信システムのＭＳＣに登録する。移動局がそのようにすると、メッセージを移動局の“ホーム”通信システムに送信して、その通信システムに移動局の所在をアラート通知しなければならない。このメッセージトラフィックは比較的費用がかかり、非加入の移動局のケースでは不必要である。
【００２５】
図２はＭＳＣ４０、基地局３０、および移動局１０のさらに詳細な図であり、通信システム２００中で本発明を実行するのに必要な構成要素を示している。通信システム２００は移動スイッチングセンター（ＭＳＣ）４０、プロセッサ２１０、ＨＬＲ５０、ネットワーク管理センター６０、公衆ネットワーク７０、タイマー２１８、ＶＬＲ２２０、トランシーバ２２５、通信リンク２３０、基地局３０、アンテナ２４０、移動局１０、プロセッサ２２５、メモリデバイス２６０、Ｉ／Ｏデバイス２６５、トランシーバ２７０およびアンテナ２７５により表されている。図２では１つの基地局３０のみが示されているが、通信システム２００は一般的にそれぞれＭＳＣ４０と通信する複数の基地局を使用することを理解すべきである。
【００２６】
説明のために、移動局１０は通信システム２００中でアクティブな加入者であり、ＭＳＣ４０と通信するために必要な情報でプログラムされていると仮定する。例えば、移動識別番号と電話番号は既に移動局１０に割り当てられ、メモリデバイス２６０とＨＬＲ５０の両方に記憶されている。この情報は手動でプログラムされていてもよく、あるいは放送によるプログラミングによりエアーインターフェースを通して受信されていてもよい。移動局１０は基地局３０に登録しており、その登録情報をＶＬＲ２２０に記憶させていることも仮定する。ＨＬＲ５０は図２ではＭＳＣ４０とは独立したエンティティとして示されているが、他の実施形態では、ＨＬＲ５０はＭＳＣ４０にあるいはＭＳＣ４０内に配置できることを理解すべきである。
【００２７】
本発明の例示的な実施形態では、移動局１０はメモリデバイス２６０を含み、このメモリデバイス２６０は特に移動局の加入者ステータスを記憶する。移動局の加入者ステータスは“アクティブ”あるいは“インアクティブ”の２つの状態のいずれか１つである。移動局の加入者ステータスが“アクティブ”状態にある場合には、移動局１０はＭＳＣ４０と通信するために関係するすべての機能を実行することが許容される。例えば、移動局ユーザは電話通話をかけ、あるいは電話通話を受けてもよく、移動局１０は、登録、アイドルハンドオフ、パイロットサーチおよび電力制御のような、このような通話をサポートするのに必要なすべてのバックグランドタスクを実行することができる。要するに、移動局の加入者ステータスが“加入”状態にあるときには移動局１０は完全に機能可能である。例示的な実施形態では、メモリデバイス２６０は不揮発性であり、これは電力が移動局１０から除去されたときにでもそこに記憶されているデータは失われず、その後に電力投入がなされたときに取得可能であることを意味する。
【００２８】
本発明の技術にしたがうと、移動局の加入者ステータスが“インアクティブ”状態にある場合には、登録プロセスのみが禁止される。移動局１０により実行される他のすべての機能は通常の方法で行われる。例えば移動局１０は依然としてパイロット信号をサーチし、ページング信号に応答し、アイドルハンドオフを実行する。移動局１０は発生メッセージさえ送信することができ、このメッセージは電話をかけようとするものである。しかしながら通話は接続されない。その理由は移動局の加入者ステータスがＨＬＲ５０にも記憶されているからである。移動局の加入者ステータスが“インアクティブ”状態にあることをＭＳＣ４０が決定した場合には、通話はその向けられた受信者に接続されない。
【００２９】
移動局の加入は多くの理由のために“アクティブ”から“インアクティブ”にあるいはその逆に変更される。例えば、例示的な実施形態では、移動局が最初に製造されたときに、加入者ステータスは“インアクティブ”状態にセットされる。電話サービスを活動化させるために、加入者ステータスは移動局とＨＬＲ５０の両方において変更しなければならない。電話サービスが終了された場合には、例えば、移動局ユーザによりサービスがもはや望まれない場合や通信サービスに対する必要な料金の支払をユーザが滞納した場合には、移動局１０またはＨＬＲ５０のいずれかで加入者ステータスを“インアクティブ”状態に変更しなければならない。
【００３０】
本通信システムでは、移動局の加入者ステータスはＨＬＲ５０においてのみ変更され、移動局１０がページング、メッセージングおよび登録のようなすべての通信機能を継続することを許容する。本発明は移動局の加入者ステータスがＨＬＲ５０において変更されたときにこの加入者ステータスを移動局１０に提供する。加入者ステータスが“インアクティブ”に変更されたときには、登録プロシージャのみがディセーブルにされ、不必要な登録が排除される。他のすべてのページングおよびメッセージング機能はイネーブルのままである。
【００３１】
移動局の加入者ステータスは手動プログラミングによりあるいは放送によるプログラミングにより変更することができる。手動プログラミングが使用される場合には、移動局ユーザは手動プログラミングのために移動局を一般的にネットワーク管理センター６０のようなサービスセンターに持って行かなければならない。Ｉ／Ｏデバイス２６５はインターフェースを提供し、これから移動局の加入者ステータスが変更される。Ｉ／Ｏデバイス２６５は一般的にディスプレイと組み合わされたキーパッドであり、これは許可された人がキーパッドを通して変更を入力することにより移動局ステータスを変更できるようにする。ユーザにより加入者ステータスが無分別に変更できないように、加入者ステータスを変更するためにアクセスコードが必要になるかもしれない。加入者ステータスはプロセッサ２５５に提供され、プロセッサ２５５はメモリデバイス２６０にアクセスし、Ｉ／Ｏデバイス２６５からの要求にしたがって移動局の加入者ステータスを変更する。いったん移動局の加入者ステータスが変更されると、後に変更されるまで加入者ステータスはメモリデバイス２６０中に記憶されたままである。ネットワーク管理センター６０はＨＬＲ５０に対して移動局が現在通信システム２００中でアクティブ加入者であることを知らせる。
【００３２】
代わりに、図３に示すように、移動局の加入者ステータスは放送によるプログラミングを通して変更することができる。加入者ステータスを変更する要求は移動局ユーザにより、あるいはネットワーク管理センター６０により発生させることができ、これは図３においてステップ３００として示されている。いずれのケースでも、加入者ステータス変更要求はネットワーク管理センター６０からプロセッサ２１０とＨＬＲ５０に送られる。移動局の加入者ステータスはＨＬＲ５０において変更され、現在の加入者ステータスをアクティブあるいはインアクティブのいずれかに反映させる。
【００３３】
図３のステップ３０５において示されているように、プロセッサ２１０は移動局の加入者ステータスを移動局１０に送信して、ＨＬＲ５０に記憶されているような更新された加入者ステータスを移動局１０に知らせる。後で説明するように、タイマー２１８を使用して、プロセッサ２１０は加入者ステータスが送信された時間を記録し、肯定応答目的のために使用する。トランシーバ２２５はデータを基地局３０に送るために、技術的によく知られている多くの通信プロトコルの１つにしたがって移動局加入者情報を変調する。変調された移動局加入者情報はデータリンク２３０を通して基地局３０に送られる。任意のワイヤまたはワイヤレス通信リンクを使用することができるが、データリンク２３０は一般的にＴ１リンクである。基地局３０は通信システム２００中の多くの基地局の内の１つである。移動局の加入者ステータスは移動局が最近登録された少なくとも１つの基地局３０に送られる。好ましい実施形態では、移動局の加入者ステータスはページングチャネルを通して送られ、このページングチャネルは通信システム中の移動局との間でオーバーヘッドメッセージを送るために確保されている通信チャネルである。
【００３４】
移動局の加入者ステータス情報は、ＴＤＭＡ、ＣＤＭＡまたはＡＭＰＳのようなよく知られた多くの可能性ある変調方式の内の１つを使用して基地局３０により変調される。加入者ステータス情報はトラフィックチャネルあるいはページングチャネルのような多くの通信チャネルの内の１つを通して個々のメッセージとして送られてもよい。代わりに、加入者ステータス情報を送信するために、加入者ステータスを既存のメッセージに追加したり、加入者ステータスを移動局１０に送信される他の情報と組み合わせたりするような、技術的によく知られている他の技術を使用してもよい。変調された加入者ステータスはアンテナ２４０を介し、アンテナ２７５を通して移動局１０に送信される。プロセッサ２５５に送ることができるように、トランシーバ２７０は移動局の加入者ステータスを復調する。復調された移動局の加入者ステータスを受け取ると、プロセッサ２５５はメモリデバイス２６０にアクセスし、移動局の加入者ステータスを変更して、受信された加入者ステータスに一致させる。したがって、図３のステップ３１０に示されているように、更新された移動局の加入者ステータスが移動局１０に記憶される。
【００３５】
メモリデバイス２６０における移動局の加入者ステータスの変更が成功した場合には、プロセッサ２５５は肯定応答メッセージをＭＳＣ４０に送り、加入者ステータスが変更されたことを知らせる。このステップは図３においてステップ３１５として示されている。何らかの理由のために移動局の加入者ステータスが移動局１０により受信されない場合には、あるいは移動局の加入者ステータスは受信されたがメモリデバイス２６０中で変更されない場合には、肯定応答メッセージは送られない。
【００３６】
ＭＳＣ４０において、プロセッサ２１０は移動局１０からの肯定応答メッセージの受信を待つ。肯定応答メッセージが、プロセッサ２１０およびタイマー２１８により定められるような予め定められた時間内に受信されない場合には、加入者ステータスは再度送信される。このステップは図３においてステップ３２０として示されている。このプロセスは肯定応答メッセージが受信されるか、あるいは予め定められた数の試行の失敗が記録されるまで繰り返される。
【００３７】
加入者ステータスが“インアクティブ”状態に変更されている場合には、移動局１０はさらに何らかの登録メッセージを送信することが妨げられる。例えば、ＩＳ−９５に基づく典型的なＣＤＭＡ通信システムでは、９つのタイプの登録が可能である。９つのタイプの登録は、電源投入時の、電源切断時の、タイマーベースの、距離ベースの、ゾーンベースの、パラメータ変更の、命令された、暗黙の、およびトラフィックチャネルの登録である。登録を要求するイベントが明らかになったことをプロセッサ２５５が決定すると、メモリデバイス２６０がアクセスされ、移動局の加入者ステータスが“アクティブ”状態にあるのか、あるいは“インアクティブ”状態にあるのかが最初に決定される。加入者ステータスが“インアクティブ”である場合には、登録はディセーブルにされ、したがって不必要な送信、移動局間の干渉の増加、貴重なシステム帯域幅およびリソースの無駄が排除される。
【００３８】
ＩＳ−９５は移動局の加入者ステータスを表すために確保された変数を現在持たない。結果として、１つの実施形態では、新しい加入者ステータス変数を規定しなければならない。例示的な実施形態では、新しい変数はＭＯＢＩＬＥ＿ＳＵＢＳＣＲＩＰＴＩＯＮ＿ＳＴＡＴＵＳと呼ばれ、１ビットの長さである。ＭＯＢＩＬＥ＿ＳＵＢＳＣＲＩＰＴＩＯＮ＿ＳＴＡＴＵＳ変数はインアクティブ加入者ステータスに対して‘０’にセットされ、アクティブ加入ステータスに対して‘１’にセットされる。ＭＯＢＩＬＥ＿ＳＵＢＳＣＲＩＰＴＩＯＮ＿ＳＴＡＴＵＳ変数は先に説明した送信プロシージャにしたがってＭＳＣ４０から移動局１０に送信される。ＩＳ−９５はこのような変数を提供することを含んでおらず、したがってシステム変更が必要である。
【００３９】
代替実施形態では、新しい加入者ステータス変数は必要とされない。したがって、ＩＳ−９５ＣＤＭＡを使用する通信システムでは、システムに対する大幅な変更は必要とされない。代替実施形態では、メモリデバイス２６０に記憶され、ＩＳ−９５において規定されている既存のＭＯＢ＿ＴＥＲＭ＿ＸＸＸｐ変数を使用して、登録プロセスをディセーブルにする。ＩＳ−９５により規定されている３つのＭＯＢ＿ＴＥＲＭ＿ＸＸＸｐ変数がある。これらはＭＯＢ＿ＴＥＲＭ＿ＨＯＭＥｐ、ＭＯＢ＿ＴＥＲＭ＿ＦＯＲ＿ＳＩＤｐおよびＭＯＢ＿ＴＥＲＭ＿ＦＯＲ＿ＮＩＤｐである。ＩＳ−９５はまたは変数ＲＥＧ＿ＥＮＡＢＬＥＤｓを規定しており、これは自律的な登録をイネーブルまたはディセーブルにする。自律的な登録は、基地局または移動スイッチングセンターにより登録装置に対して明確に命令することなく、イベントに応答して移動局により開始される。自律的な登録の例は移動局の電源投入時または電源切断時の登録、前の登録から予め定められた時間が経過した後の登録、移動局の位置に基づく登録である。自律的な登録がディセーブルにされると、移動局の登録プロセスは有効にターンオフされる。ＲＥＧ＿ＥＮＡＢＬＥＤｓステータスはＭＯＢ＿ＴＥＲＭ＿ＸＸＸｐ変数により部分的に決定される。３つすべてのＭＯＢ＿ＴＥＲＭ＿ＸＸＸｐ変数を‘０’にセットすると、ＲＥＧ＿ＥＮＡＢＬＥＤｓが‘ＮＯ’にセットされ、自律的な登録をディセーブルにする。自律的な登録がディセーブルにされているにもかかわらず、他の形態の登録は依然として可能であることを理解すべきである。例えば、ＩＳ−９５は他のいくつかの形態の登録を規定しており、これらの登録は基地局または移動システム制御装置により開始される。これらのタイプの登録はＩＳ−９５によりパラメータ変更登録、命令登録、トラフィックチャネル登録、および暗黙の登録として規定されている。自律的な登録がディセーブルにされているにもかかわらず、これらのタイプの登録は依然としてイネーブルにすることができる。しかしながら、自律的な登録を排除することにより、大部分の登録トラフィックは排除される。
【００４０】
好ましい実施形態の先の説明は、当業者が本発明を製造または使用できるように提供されている。これらの実施形態に対するさまざまな修正は当業者に容易に明らかになるであろう。ここに規定されている一般的な原理は発明能力を使用することなく他の実施形態に対して適用することができる。したがって、本発明はここに示されている実施形態に限定されることを意図しているものではなく、ここに開示されている原理および新規な特徴と矛盾しない最も広い範囲にしたがうべきである。
【図面の簡単な説明】
【図１】  図１は、典型的なワイヤレス通信システムを図示している。
【図２】  図２は、本発明の構成部品を含む、通信システムのさまざまな構成部品の詳細図を図示している。
【図３】  図３は、本発明で使用されるようなプロセッサによりとられるステップを示しているフローチャートである。
【図１】
0004855574.tif 000002
【図２】
0004855574.tif 000003
【図３】
0004855574.tif 000004